(57)【要約】      （修正有）【課題】小物を収容し、暗所において発光することで、位置を確認できるようにした小物入れを提供する。【解決手段】上面開口の箱体１００を備え、箱体１００の内部に小物を収容する小物入れ１であって、箱体１００の上面開口縁部に蓄光部２００が形成されていることにより、暗所において最適な光量で発光し、小物入れの位置を確認可能にするとともに、箱体１００が箱体本体１１０と上縁部が箱体本体１１０の上面開口より上方に突出した内側部材１２０とを備え、蓄光テープ２１０を内側部材１２０の上面開口縁部に備えることで、開口部が枠状に発光し、小物入れに小物を収容しやすくした。【選択図】図１
0003234206.tif 000002
【実用新案登録請求の範囲】
【請求項１】
上面開口の箱体を備え、箱体の内部に小物を収容する小物入れであって、
前記箱体の上面開口縁部に蓄光部が形成されている
ことを特徴とする小物入れ。
【請求項２】
前記箱体は、上面開口の箱体本体と、前記箱体本体の内壁面に当接した状態で前記箱体本体に収容され且つ上縁部が前記箱体本体の前記上面開口より上方に突出した上面開口の内側部材とを備え、
前記蓄光部は、前記内側部材の上面開口縁部に形成されている
ことを特徴とする請求項１記載の小物入れ。
【請求項３】
前記蓄光部は、前記箱体の上面開口縁部の全周において内面から外面に亘って形成されている
ことを特徴とする請求項１又は２記載の小物入れ。
【考案の詳細な説明】
【技術分野】
【０００１】
本考案は、例えばメガネ等の小物を収容する小物入れに関する。
【背景技術】
【０００２】
従来、例えばメガネ等の小物を収容する小物入れが広く使用されている。しかしながら、一般的な小物入れは、例えば就寝前の寝室等の暗所では視認することができなかった。そこで、小物入れの一部に発光手段を設けることで、小物入れを暗所で発光させるようにしたものが知られている（例えば特許文献１参照）。特許文献１に記載のメガネ置きは、外観上、横長立方体状に形成されている。メガネはメガネ置きの長手方向の向きに沿って設置される。上面は中央部分が凹むように長手方向に湾曲している。また、上面全体には、蓄光部が設けられている。
【０００３】
これにより、消灯時には、蓄光部全体が暗がりの中で光る。そのため、メガネ置きの位置が確認しやすくなっている。また、メガネ置きを発光させるのに、電力を必要としていないため、永続的に使用可能であるという利点がある。
【先行技術文献】
【特許文献】
【０００４】
【特許文献１】特開２０１４−２１１６０３号広報
【考案の概要】
【考案が解決しようとする課題】
【０００５】
しかしながら、上記のメガネ置きは蓄光部の面積が大きいため、光量が多いという問題点があった。メガネ置きは、特に寝室に設置されることが多く、就寝時にメガネ置きから発生する光が睡眠を妨げるおそれがあった。
【０００６】
本考案は上記事情に鑑みてなされたものであり、その目的とするところは、例えば就寝時の寝室等の暗所において、光量が多すぎることなく最適な光量で発光する小物入れを提供することにある。
【課題を解決するための手段】
【０００７】
上記目的を達成するために、本願考案における小物入れは、上面開口の箱体を備え、箱体の内部に小物を収容する小物入れであって、前記箱体の上面開口縁部に蓄光部が形成されていることを特徴とする。これにより、暗所において小物入れの上面開口縁部が発光する。
【考案の効果】
【０００８】
暗所において、小物入れの上面開口縁部のみが発光する。そのため、小物入れは、光量が多すぎることなく最適な光量で発光する。したがって、小物入れの位置を確認することができる。
【図面の簡単な説明】
【０００９】
【図１】本願考案の一実施形態に係る小物入れの外観斜視図
【図２】小物入れの使用形態図
【図３】内側部材の構成を説明する図
【図４】小物入れの分解斜視図
【図５】他の実施形態に係る小物入れの外観斜視図
【図６】他の例に係る小物入れの外観斜視図
【図７】他の例に係る内側部材の平面図である
【考案を実施するための形態】
【００１０】
本考案の一実施の形態に係る小物入れについて図面を参照して説明する。図１は本願考案の一実施形態に係る小物入れの外観斜視図、図２は小物入れの使用形態図、図３は内側部材の構成を説明する図、図４は小物入れの分解斜視図、図５は他の実施形態に係る小物入れの外観斜視図、図６は他の例に係る小物入れの外観斜視図、図７は他の例に係る内側部材の平面図である。
【００１１】
本実施の形態に係る小物入れ１は、図１および図２に示すように、例えばメガネ等の小物を内部に収容する上面が開口した箱体１００を備えている。この箱体１００の上面開口縁部には、蓄光部２００が形成されている。
【００１２】
箱体１００は、上面開口の箱体本体１１０と、箱体本体に収容される上面開口の内側部材１２０とを備えている。
【００１３】
箱体本体１１０は、底面が略正方形状かつ高さ方向に長い直方体状に形成されている。箱体本体１１０の内部は、収容部１１１となっている。箱体本体１１０の上面は開口部１１２となっている。箱体本体１１０の外壁面１１４には、絵やロゴ等の柄が施されていてもよい。
【００１４】
内側部材１２０は、箱体本体１１０の収容部１１１に収容されるものであり、箱体本体１１０の四方すべての内壁面１１３に当接するように四角柱状に形成されている。内側部材１２０は、図３に示すように、屈曲部１２１ａを有する２枚の板状部材１２１からなる。各板状部材１２１は、屈曲部１２１ａが略９０度となるように屈曲されている。屈曲された状態の２枚の板状部材１２１は、四角柱状となるように対称に結合されている。２枚の板状部材１２１の結合部は、例えばテープ止めなどの結合が解除されないための構成（図示せず）が設けられている。
【００１５】
蓄光部２００は、内側部材１２０の上面の開口縁部に形成されている。蓄光部２００は、照射された光を蓄え、蓄えた光を放出することで、電力を必要とはせずに発光する周知のものである。蓄光部２００を形成する手段としては、例えば蓄光塗料の塗布や蓄光テープの貼り付けなどが挙げられる。本実施形態においては、蓄光テープ２１０を貼り付けることで蓄光部２００を形成した。これにより、暗所において箱体１００の蓄光テープ２１０が発光する。蓄光テープ２１０は、内側部材１２０の上面開口縁部の全周において内面１２２から外面１２３に亘って貼り付けるようにして形成されている。
【００１６】
以上説明した内側部材１２０は、四角柱状の状態を保持したまま箱体本体１１０に収容されている。これにより、箱体１００の外周は二重構造となっている。内側部材１２０の上縁部、すなわち蓄光テープ２１０が貼り付けられている箇所の一部は、箱体本体１１０の上面の開口部１１２よりも上方に突出している。そのため、蓄光テープ２１０は上方だけでなく側方から見たときでも視認される。これにより、暗所において蓄光テープ２１０が発光している様子を、より広い角度から視認することができる。
【００１７】
また、箱体１００を斜め上方から見ると、箱体１００の手前側の側壁では、外面１２３に貼り付けられた蓄光テープ２１０が視認され、奥側の側壁で、内面１２２に貼り付けられた蓄光テープ２１０が視認される。すなわち、箱体１００を上方いずれの角度から見ても、蓄光テープ２１０は四角形の枠状に視認される。したがって、暗所において箱体１００を見たとき、枠状に発光した開口部を確認することができる。この枠内に小物３００を通すことで、小物３００がそのまま箱体１００内に収容される。
【００１８】
以上説明したように、本願考案における小物入れは、上面開口の箱体１００を備え、箱体１１０の内部に小物３００を収容する小物入れ１であって、箱体１００の上面開口縁部に蓄光部２００が形成されていることを特徴としている。
【００１９】
このように、小物入れ１の上面開口縁部に蓄光部２００として蓄光テープ２１０を貼り付けたので、暗所において小物入れ１が発光する。このとき、小物入れ１は、上面開口部のみが発光するので、小物入れ１が発光するに際し光量が多すぎるようなことはない。
【００２０】
また、箱体１００は、上面開口の箱体本体１１０と、箱体本体１１０の内壁面１１３に当接した状態で箱体本体１１０に収容され且つ上縁部が箱体本体の前記上面開口より上方に突出した上面開口の内側部材１２０とを備え、蓄光部２００は、内側部材１２０の上面開口縁部に形成されていることを特徴としている。これにより、蓄光テープ２１０が貼り付けられた箇所を、上方および側方から視認することができる。
【００２１】
また、蓄光部２００は、箱体１００の上面開口縁部の全周において内面１２２から外面１２３に亘って形成されているので、開口部が発光し、小物３００を収容しやすくなっている。
【００２２】
本考案によれば、箱体１００は箱体本体１１０と内側部材１２０との二重構造となっているため、それぞれを任意に組み合わせることができる。
【００２３】
また、本実施形態では、内側部材１２０は２枚の板状部材１２１を結合して形成されているが、図５に示すように、１枚の板状部材１２４から形成されるようにしてもよい。この板状部材１２４には、屈曲部１２４ａが間隔をおいて３か所形成されている。
【００２４】
また、本実施形態では、箱体１００が箱体本体１１０と内側部材１２０を備えるように記載したが、図６に示すように、箱体本体１１０のみで箱体１００を形成するようにしてもよい。この場合、蓄光テープ２１０は、箱体本体１１０の上面開口縁部に貼り付けるようにして形成される。
【００２５】
また、本実施形態では、箱体１００は高さ方向に長い直方体状に形成されているが、他の形状をしていてもよい。例えば、横方向に長い直方体状に形成されてもよいし、多角柱状や、図７に示すように、円柱状に形成されてもよい。箱体１００が、内側部材１２０を備え、壁面を二重とする場合、内側部材１２０の形状は箱体本体１１０の形状に合わせて形成される。
【符号の説明】
【００２６】
１、１’、１”…小物入れ
１００…箱体
１１０…箱体本体
１１１…収容部
１１２…開口部
１１３…内壁面
１１４…外壁面
１２０…内側部材
１２１…板状部材
１２２…内面
１２３…外面
１２４…板状部材
２００…蓄光部
２１０…蓄光テープ
３００…小物
【図１】
0003234206.tif 000003
【図２】
0003234206.tif 000004
【図３】
0003234206.tif 000005
【図４】
0003234206.tif 000006
【図５】
0003234206.tif 000007
【図６】
0003234206.tif 000008
【図７】
0003234206.tif 000009